(57)【特許請求の範囲】
【請求項１】
アクセス先のアドレス情報を含むコンテンツが記憶されたコンテンツサーバと、
各コンテンツの属性情報を管理するコンテンツ管理テーブルと、
所定の放送枠で放送される複数のコンテンツを前記属性情報に基づいて編成するコンテンツ編成手段と、
前記アクセス先の負荷および／またはアクセス先に至る経路の輻輳状態を検知する輻輳検知手段とを具備し、
前記属性情報が、コンテンツの放送を契機とするアクセス数を予測する情報を含み、
前記コンテンツ編成手段は、前記輻輳検知手段によりアクセス先の過負荷および／またはアクセス先に至る経路の輻輳が検知されると、その放送を契機とするアクセス数が所定の基準値を超えると予測されるコンテンツの放送時間帯と超えないと予測されるコンテンツの放送時間帯とを分散させることを特徴とする放送コンテンツの適応的編成装置。
【請求項２】
前記コンテンツ編成手段は、その放送を契機とするアクセス数が基準値を超えると予測されるコンテンツを優先させる時間枠と、その放送を契機とするアクセス数が基準値を超えないと予測されるコンテンツを優先させる時間枠とを交互に配置することで各コンテンツの放送を分散させることを特徴とする請求項１に記載の放送コンテンツの適応的編成装置。
【請求項３】
前記コンテンツ編成手段は、前記輻輳検知手段によりアクセス先の過負荷および／またはアクセス先に至る経路の輻輳が検知されていないと、その放送を契機とするアクセス数が基準値を超えると予測されるコンテンツの放送を先行させることを特徴とする請求項１または２に記載の放送コンテンツの適応的編成装置。
【請求項４】
前記コンテンツサーバには、アクセス先のアドレス情報を含むコンテンツおよび含まないコンテンツが記憶され、
前記コンテンツの放送を契機とするアクセス数を予測する情報が、コンテンツにアクセス先のアドレス情報が登録されているか否かの情報であることを特徴とする請求項１ないし３のいずれかに記載の放送コンテンツの適応的編成装置。
【請求項５】
前記コンテンツの放送を契機とするアクセス数を予測する情報が、同一コンテンツの以前の放送を契機とするアクセス数の履歴情報であることを特徴とする請求項１ないし３のいずれかに記載の放送コンテンツの適応的編成装置。
【請求項６】
前記コンテンツサーバには、アクセス先のアドレス情報を含むコンテンツおよび含まないコンテンツが記憶され、
前記コンテンツの放送を契機とするアクセス数を予測する情報が、コンテンツにアクセス先のアドレス情報が登録されているか否かの情報と同一コンテンツの以前の放送を契機とするアクセス数の履歴情報との組み合わせであることを特徴とする請求項１ないし３のいずれかに記載の放送コンテンツの適応的編成装置。
【請求項７】
少なくとも一つのコンテンツが、その放送を契機とするアクセス数が相互に異なると予測される複数のサブコンテンツで構成され、
前記コンテンツ編成手段は、前記アクセス先の負荷および／またはアクセス先に至る経路の輻輳状態に応じて、前記コンテンツとして複数のサブコンテンツのいずれかを選択することを特徴とする請求項１ないし６のいずれかに記載の放送コンテンツの適応的編成装置。
【発明の詳細な説明】
【技術分野】
【０００１】
本発明は、アクセス先のアドレス情報を含む放送コンテンツを編成するコンテンツ編成装置に係り、特に、アクセス先の負荷やアクセス先に至る経路の輻輳状態に応じて放送コンテンツを適応的に編成する適応的編成装置に関する。
【背景技術】
【０００２】
放送通信融合システムでは、放送コンテンツの視聴者からの問い合わせに応じたり、あるいは放送コンテンツと連動した世論調査、アンケート、懸賞応募、視聴者参加型クイズ等の双方向サービスを可能とするために、アクセス先のアドレス情報としてURLやIPアドレスが放送コンテンツに登録されて各視聴者へ提供される。各視聴者は、放送コンテンツの視聴中にアクセス先が表示されると、これに発呼することで双方向サービスを享受できる。
【０００３】
このような放送通信融合システムでは、コンテンツの放送を契機としてアクセスが発生するため、人気や関心の高いコンテンツの放送後にはアクセスが短時間に集中し、アクセス先のサーバが過負荷状態に陥ったり、あるいはアクセス先に至るネットワーク回線に輻輳が発生したりすることが予測される。そして、アクセス先のサーバやネットワーク回線に輻輳等が発生すると、視聴者からの通信が完了しないなど、番組運営に致命的な支障をきたすのみならず、他の通信サービスにも悪影響を与える可能性がある。
【０００４】
放送通信融合システムにおいて、このようなアクセスの集中を防止する技術として、特許文献１，２には、視聴者が電話回線を利用して応答メッセージを送信するシステムにおいて、視聴者からのアクセスをランダムに遅延させる技術が開示されている。
【特許文献１】特開平７−２４０７３１
【特許文献２】特開平８−２７５１４０
【発明の開示】
【発明が解決しようとする課題】
【０００５】
しかしながら、視聴者からのアクセスがランダムに遅延されてしまうと、特にアクセス機会がコンテンツ放送直後の短い時間帯のみに限られているような場合には、遅延によってアクセス機会が失われてしまうという技術課題があった。
【０００６】
本発明の目的は、上記した従来技術の課題を解決し、アクセスを遅延されることなく、コンテンツの放送を契機として発生するアクセスの集中を防止できる放送コンテンツの適応的編成装置を提供することにある。
【課題を解決するための手段】
【０００７】
上記した目的を達成するために、本発明は、アクセス先のアドレス情報を含むコンテンツが記憶されたコンテンツサーバと、各コンテンツの属性情報を管理するコンテンツ管理テーブルと、所定の放送枠で放送される複数のコンテンツを前記属性情報に基づいて編成するコンテンツ編成手段と、前記アクセス先の負荷および／またはアクセス先に至る経路の輻輳状態を検知する輻輳検知手段とを設けた。そして、前記属性情報がコンテンツの放送を契機とするアクセス数を予測する情報を含むようにし、前記コンテンツ編成手段が、アクセス先の過負荷および／またはアクセス先に至る経路の輻輳が検知されると、その放送を契機とするアクセス数が所定の基準値を超えると予測されるコンテンツの放送時間帯を分散させるようにした。
【発明の効果】
【０００８】
本発明によれば、輻輳状態が検知されると、その放送を契機とするアクセス数が多いと予測されるコンテンツの放送時間帯が分散され、アクセス数が多いと予測されるコンテンツが続けて放送されないようにしたので、人気や関心の高いコンテンツの放送後にアクセスが集中したとしても、次に放送されるコンテンツを契機とするアクセス数を少なくでき、アクセスの集中を直ぐに解消できるようになる。
【発明を実施するための最良の形態】
【０００９】
以下、図面を参照して本発明の最良の実施の形態について詳細に説明する。図１は、本発明が適用される通信放送融合システムのネットワーク構成を示したブロック図であり、テレビ映像用のコンテンツとデータ通信用のコンテンツとが多重化された放送コンテンツを放送する放送局１と、この放送局１から送信される放送波を受信して放送コンテンツを再生するテレビ２ａ、コンピュータ２ｂ、携帯端末２ｃ等の視聴者端末２と、これらの視聴者端末２とインターネット等のIPネットワーク４およびアクセス回線５を介して接続された双方向のアクセス受付サーバ３とを主要な構成としている。
【００１０】
前記放送局１は、番組枠に応じて放送コンテンツを編成するコンテンツ編成配信システム１ａと、このコンテンツ編成配信システム１ａから順次に配信される放送コンテンツをデジタル変調して放送するOFDM送信機１ｂとを含む。
【００１１】
図２は、各視聴者端末２の主要部の構成を示した機能ブロック図であり、放送波を受信、デコードして放送コンテンツを再生し、スピーカ２４および表示部２５から出力するコンテンツ再生部２１と、放送コンテンツに登録されている宛先(URL)を識別する宛先識別部２２と、前記宛先にアクセスするアクセス部２３とを含む。
【００１２】
図３は、前記放送局１において本発明の放送コンテンツ適応的編成装置が適用されるコンテンツ編成配信システム１ａの構成を示した機能ブロック図である。
【００１３】
CMコンテンツサーバ１１には多数のCMコンテンツがコンテンツIDで一意に識別されて登録されている。番組コンテンツサーバ１２には多数の番組コンテンツがコンテンツIDで一意に識別されて登録されている。コンテンツ管理テーブル１３には、CMコンテンツおよび番組コンテンツの属性情報が登録されている。輻輳検知部１４は、ネットワーク回線５の輻輳および／またはメッセージ受付サーバ３の過負荷を検知する。
【００１４】
図４は、前記コンテンツ管理テーブル１３の一例を示した図であり、本実施形態では、各コンテンツをコンテンツサーバ１１，１２内で一意に識別するコンテンツIDごとに、当該コンテンツが放送される番組のID、宛先アドレス(URL)が登録されているか否かの情報、放送済みであるか否かの情報、ならびにCMコンテンツおよび番組コンテンツの何れであるかの種別情報等が登録されている。
【００１５】
タイムテーブルサーバ１５には、各番組のタイムテーブルが番組IDで一意に識別されて登録されている。図５は、番組IDが[００１]の番組のタイムテーブルの一例を示した図であり、１０：００〜１０：５５までの放送枠が２つの番組枠と１つのCM枠とに大別されている。そして、１０：００〜１０：２５および１０：３０〜１０：５５の各番組枠では、放送される番組コンテンツのIDがそれぞれ[０１]、[０２]に確定されている。これに対して、１０：２５〜１０：３０のCM枠では、放送される５つのCMコンテンツのID[０３]、[０４]、[０５]、[０６]、[０７]が登録されるのみで、その放送順序は規定されていない。
【００１６】
図３へ戻り、コンテンツ編成部１６は、別途に入力された番組IDに対応したタイムテーブルを前記タイムテーブルサーバ１５から読み出し、各番組枠およびCM枠で放送するコンテンツのIDをコンテンツ選択部５へ通知する。コンテンツ選択部１７は、通知されたコンテンツIDに対応したコンテンツをCMコンテンツサーバ１１または番組コンテンツサーバ１２から読み出してコンテンツバッファ１８へ提供する。
【００１７】
次いで、図６，７のフローチャートを参照して、本発明によるコンテンツ編成方法を詳細に説明する。
【００１８】
図６のステップS１において、コンテンツ編成部１６に番組IDが通知されると、ステップS２では、この番組IDに対応したタイムテーブルがタイムテーブルサーバ１５から選択される。ステップS３において、コンテンツバッファ１８からコンテンツを要求されると、ステップS４では前記タイムテーブルが参照され、放送枠が番組枠およびCM枠のいずれであるかが判定される。放送コンテンツが確定されている番組枠であれば、ステップS５へ進んでコンテンツのIDが特定される。
【００１９】
ステップS６では、特定されたコンテンツIDがコンテンツ選択部１７へ通知される。コンテンツ選択部１７は、通知されたコンテンツIDに対応した番組コンテンツを番組コンテンツサーバ１２から読み出してコンテンツバッファ１８へ提供する。ステップS７では、コンテンツの編成が全て完了したか否かが判定される。最初は完了していないと判定されるのでステップS３へ戻り、次のコンテンツ要求に備えて待機する。
【００２０】
次いで、１０時２５分からの放送に間に合うタイミングでコンテンツが要求され、これがステップＳ３で検知されると、ステップＳ４では放送枠がCM枠と判定されるのでステップS８のCM枠編成処理へ進む。
【００２１】
図７は、前記CM枠編成処理の手順を示したフローチャートである。ステップS３１では、輻輳検知部１４による輻輳の検知結果が参照され、輻輳中であればステップS３２へ進む。ステップS３２では、その放送を契機とするアクセス数が多いと予測されるコンテンツ、およびアクセスが少ないと予測されるコンテンツの何れかを選択するためのコンテンツ選択フラグFsがリセットされる。
【００２２】
ステップＳ３３では、前記コンテンツ選択フラグFsが参照され、ここでは、フラグFsがリセット状態と判定されるので、その放送を契機とするアクセスが少ないと予測されるコンテンツを選択すべくステップS３４へ進む。本実施形態では、URL付きのコンテンツが、その放送を契機とするアクセス数が多いコンテンツと定義され、URL無しのコンテンツが、その放送を契機とするアクセス数が少ないコンテンツと定義されている。
【００２３】
ステップＳ３４ではコンテンツ管理テーブル１３が参照され、コンテンツIDが[０３]〜[０７]のいずれかであり、かつURL無しで未放送のCMコンテンツの有無が判定される。これらの条件を全て満足するCMコンテンツが存在すればステップS３５へ進み、そのいずれかがランダムまたは所定の順序で選択される。なお、上記した条件を全て満足するCMコンテンツが存在しなければステップS３６へ進み、コンテンツIDが[０３]〜[０７]のいずれかで未放送のCMコンテンツがランダムまたは所定の順序で選択される。すなわち、ステップS３４−Ｓ３６では、URL無しで未放送のCMコンテンツが優先的に選択される。
【００２４】
ステップS３７では、選択されたコンテンツのIDがコンテンツ選択部１７へ通知される。コンテンツ選択部１７は、通知されたコンテンツIDに対応したコンテンツをCMコンテンツサーバ１１から読み出してコンテンツバッファ１８へ提供する。
【００２５】
ステップS３８では、前記コンテンツ選択フラグFsがセットされる。ステップS３９では、今回のCM枠に関する編成処理が終了したか否かが判定され、終了していなければステップS３３へ戻る。ステップS３３では、今度はフラグFsがセット状態と判定されるので、その放送を契機するアクセスが多いと予測されるコンテンツを選択すべくステップS４０へ進む。
【００２６】
ステップＳ４０ではコンテンツ管理テーブル１３が参照され、コンテンツIDが[０３]〜[０７]のいずれかであり、かつURL付きで未放送のCMコンテンツの有無が判定される。これらの条件を全て満足するCMコンテンツが存在すればステップS４１へ進み、そのいずれかがランダムまたは所定の順序で選択される。なお、上記した条件を全て満足するCMコンテンツが存在しなければステップS４２へ進み、コンテンツIDが[０３]〜[０７]のいずれかで未放送のCMコンテンツがランダムまたは所定の順序で選択される。すなわち、ステップS４０−Ｓ４２では、URL付きで未放送のCMコンテンツが優先的に選択される。
【００２７】
ステップS４３では、選択されたコンテンツのIDがコンテンツ選択部１７へ通知される。コンテンツ選択部１７は、通知されたコンテンツIDに対応したコンテンツをCMコンテンツサーバ１１から読み出してコンテンツバッファ１８へ提供する。ステップS４４では、前記コンテンツ選択フラグFsが再びリセットされる。
【００２８】
以下同様に、CM枠の編成が完了するまで、前記コンテンツ選択フラグFsに応じて、URL無しコンテンツとURL付きコンテンツとが交互に選択される。
【００２９】
なお、前記ステップＳ３１において、輻輳が発生していないと判定されるとステップＳ４５へ進み、コンテンツIDが[０３]〜[０７]のいずれかで未放送のCMコンテンツがランダムまたは所定の順序で選択される。ステップS４６では、選択されたコンテンツIDがコンテンツ選択部１７へ通知される。コンテンツ選択部１７は、通知されたコンテンツIDに対応したコンテンツをCMコンテンツサーバ１１から読み出してコンテンツバッファ１８へ提供する。
【００３０】
図８は、本実施形態におけるCM枠の編成結果を示した図であり、URL無しのコンテンツ[０５]、[０７]、[０３]とURL付きのコンテンツ[０４]、[０６]とが交互に放送される。
【００３１】
本実施形態によれば、ネットワーク回線の輻輳やメッセージ受付サーバの過負荷が検知されると、その放送を契機とするアクセス数が多いと予測されるコンテンツとアクセスが少ないと予測されるコンテンツとが分散して放送されるので、アクセスやその応答のトラヒックを時間的に分散できるようになる。
【００３２】
図９、１０は、本実施形態の効果を模式的に表現した図であり、図９に示したように、CMコンテンツがURLの有無とは無関係にランダムに選択された結果、URL付きのコンテンツが連続して放送されてしまうと、URLへのアクセスが短時間に集中し、輻輳がさらに深刻化してしまう。これに対して、図１０に示した本実施形態のように、URL付きコンテンツが分散して放送されるようにすれば、アクセスも時間的に分散化されるので、輻輳の深刻化を防止できる。
【００３３】
図１１は、本発明の第２実施形態のコンテンツ編成方法を示したフローチャートであり、前記と同一の符号を付したステップでは同一または同等の処理が実行される。
【００３４】
本実施形態では、ステップS３１で輻輳が発生していないと判定されると、前記コンテンツ編成部１６において、ステップＳ５１ではコンテンツ管理テーブル１３が参照され、コンテンツIDが[０３]〜[０７]のいずれかであり、かつURL付きで未放送のCMコンテンツの有無が判定される。
【００３５】
これらの条件を全て満足するCMコンテンツが存在すればステップS５２へ進み、そのいずれかがランダムまたは所定の順序で選択される。上記した条件を全て満足するCMコンテンツが存在しなければステップS５３へ進み、コンテンツIDが[０３]〜[０７]のいずれかで未放送のCMコンテンツがランダムまたは所定の順序で選択される。すなわち、ステップS５１−Ｓ５３ではURL付きのコンテンツが優先的に選択される。
【００３６】
このように、本実施形態では輻輳が発生していない状態では、その放送を契機とするアクセス数が多いと予測されるコンテンツを先行して優先的に放送するようにしたので、その後に輻輳が発生しても、その際にはアクセス数が少ないと予測されるコンテンツを優先的に放送できるので、輻輳の深刻化を予防できるようになる。
【００３７】
図１２は、本発明の第３実施形態におけるコンテンツ管理テーブル１３の一例を示した図である。本実施形態では、コンテンツの放送を契機とするアクセス数を予測する指標として、上記した第１、第２実施形態のURLの有無に代えて、同一コンテンツを過去に放送した際のアクセス数の履歴Nが登録されている。
【００３８】
図１３は、本実施形態の動作を示したフローチャートであり、前記と同一の符号を付したステップでは同一または同等の処理が実行される。
【００３９】
本実施形態では、ステップS３３においてコンテンツ選択フラグFsがリセット状態と判定されると、ステップＳ３４ａではコンテンツ管理テーブル１３が参照され、コンテンツIDが[０３]〜[０７]のいずれかであり、かつアクセス履歴Nが基準値Nref以下であって、未放送のCMコンテンツの有無が判定される。
【００４０】
これらの条件を全て満足するCMコンテンツが存在すればステップS３５ａへ進み、そのいずれかがランダムまたは所定の順序で選択される。上記した条件を全て満足するCMコンテンツが存在しなければステップS３６ａへ進み、アクセス履歴Nが最小で、かつコンテンツIDが[０３]〜[０７]のいずれかである未放送のコンテンツが選択される。
【００４１】
一方、前記ステップS３３において、コンテンツ選択フラグFsがセット状態と判定されるとステップS４０ａへ進む。ステップＳ４０ａではコンテンツ管理テーブル１３が参照され、コンテンツIDが[０３]〜[０７]のいずれかであり、かつアクセス履歴Nが基準値Nrefを超えている未放送のコンテンツの有無が判定される。
【００４２】
これらの条件を全て満足するCMコンテンツが存在すればステップS４１ａへ進み、そのいずれかがランダムまたは所定の順序で選択される。上記した条件を全て満足するCMコンテンツが存在しなければステップS４２ａへ進み、アクセス履歴Nが最大で、かつコンテンツIDが[０３]〜[０７]のいずれかである未放送のコンテンツが選択される。
【００４３】
以下同様に、前記コンテンツ選択フラグFsに応じて、アクセス履歴Nの少ないCMコンテンツとアクセス履歴Nの多いCMコンテンツとが交互に選択される。なお、前記ステップＳ３１において、輻輳が発生していないと判定されるとステップＳ４５へ進み、未放送のCMコンテンツがランダムまたは所定の順序で選択されるか、あるいは前記第２実施形態と同様に、アクセス履歴Nの多いCMコンテンツが優先的に選択される。
【００４４】
なお、コンテンツの放送を契機とするアクセス数を予測する指標は、上記したURLの有無やアクセス履歴に限定されるものではなく、アクセス数を所定の確度で予測できる指標であれば、同一コンテンツの過去の視聴率を指標としても良い。また、アクセス数の履歴情報のみならず、アクセス数の履歴情報と前記URLの有無との組み合わせに基づいて、コンテンツの放送を契機とするアクセス数を予測するようにしても良い。
【００４５】
図１４は、本発明の第４実施形態におけるコンテンツ管理テーブル１３の一例を示した図である。本実施形態では、アクセス数を予測する指標としてアクセス履歴Nが採用されると共に、一つのコンテンツIDに複数のサブコンテンツIDが対応付けられている。本実施形態では、コンテンツID[０４]には２つのサブコンテンツID[０４ａ]、[０４ｂ]が対応付けられ、コンテンツID[０６]にも２つのサブコンテンツID[０６ａ]、[０６ｂ]が対応付けられている。前記CMコンテンツサーバ１では、CMコンテンツがコンテンツIDまたはサブコンテンツIDで一意に識別されて登録されている。
【００４６】
コンテンツIDが同一である各サブコンテンツIDと対応付けられたコンテンツは、例えば同一スポンサの同一アイテムを対象とするCMであるが、その内容が異なり、ｂ群のサブコンテンツID[０４ｂ]、[０６ｂ]と対応付けられたコンテンツは、ａ群のサブコンテンツID[０４ａ]、[０６ａ]と対応付けられたコンテンツよりも、その放送を契機とするアクセス数が少なくなるように構成されている。
【００４７】
本実施形態では、前記輻輳検知部１４によりネットワーク回線の輻輳やメッセージ受付サーバ３の過負荷が検知されていなければ、各コンテンツIDにおいてａ群のサブコンテンツID[０４ａ]、[０６ａ]が選択対象とされる。これに対して、輻輳や過負荷が検知されていれば、ｂ群のサブコンテンツID[０４ｂ]、[０６ｂ]が選択対象とされる。
【００４８】
図１５は、本実施形態において、輻輳や過負荷が検知されていないときのCM枠の編成内容の一例を示した図であり、サブコンテンツID[０４]、[０６]が対応付けられているコンテンツIDでは、ａ群のサブコンテンツID[０４ａ]、[０６ａ]が選択されている。これに対して、図１６は、輻輳や過負荷が検知されているときのCM枠の編成内容の一例を示した図であり、サブコンテンツID[０４]、[０６]が対応付けられているコンテンツIDでは、ｂ群のサブコンテンツID[０４ｂ]、[０６ｂ]が選択されている。
【００４９】
本実施形態では、一つのコンテンツIDに対して、アクセス数の異なる複数のコンテンツを一意に識別するサブコンテンツIDが選択可能に対応付けられているので、輻輳や過負荷の状態においてコンテンツを使い分けることができる。
【図面の簡単な説明】
【００５０】
【図１】本発明に係る放送通信融合システムのブロック図である。
【図２】視聴者端末の主要部の構成を示した機能ブロック図である。
【図３】本発明が適用される編成システムの構成を示した機能ブロック図である。
【図４】コンテンツ管理テーブルの一例を示した図である。
【図５】タイムテーブルの一例を示した図である。
【図６】本発明の第１実施形態におけるコンテンツの編成手順を示したフローチャートである。
【図７】本発明の第１実施形態におけるCM枠編成処理の手順を示したフローチャートである。
【図８】本発明の第１実施形態におけるCM枠の編成結果を示した図である。
【図９】本発明の第１実施形態の効果を説明するための図（その１）である。
【図１０】本発明の第１実施形態の効果を説明するための図（その２）である。
【図１１】本発明の第２実施形態の編成方法を示したフローチャートである。
【図１２】本発明の第３実施形態におけるコンテンツ管理テーブルの一例を示した図である。
【図１３】本発明の第３実施形態の動作を示したフローチャートである。
【図１４】本発明の第４実施形態におけるコンテンツ管理テーブルの一例を示した図である。
【図１５】本発明の第４実施形態におけるCM枠の編成結果（その１）を示した図である。
【図１６】本発明の第４実施形態におけるCM枠の編成結果（その２）を示した図である。
【符号の説明】
【００５１】
１…放送局，２…視聴者端末，２ａ…テレビ，２ｂ…コンピュータ，２ｃ…携帯端末，３…応答受付サーバ，４…IPネットワーク、５…ネットワーク回線
【図１】
0004789191.tif 000002
【図２】
0004789191.tif 000003
【図３】
0004789191.tif 000004
【図４】
0004789191.tif 000005
【図５】
0004789191.tif 000006
【図６】
0004789191.tif 000007
【図７】
0004789191.tif 000008
【図８】
0004789191.tif 000009
【図９】
0004789191.tif 000010
【図１０】
0004789191.tif 000011
【図１１】
0004789191.tif 000012
【図１２】
0004789191.tif 000013
【図１３】
0004789191.tif 000014
【図１４】
0004789191.tif 000015
【図１５】
0004789191.tif 000016
【図１６】
0004789191.tif 000017